(57)【要約】      （修正有）【課題】複合汚染土壌に混ぜて攪拌混合するだけでカドミウム、六価クロム、水銀、ひ素、りん、鉛、銅、セレン、ほう素等の有害な重金属類・ダイオキシン類・PCB・VOC類（ジクロロエタン、四塩化炭素、トリクロロエチレン、テトラクロロエチレン、ベンゼン、その他10類）・油類（原油、ガソリン、潤滑油、重油）を浸透・吸着・分解して無害化する。【解決手段】汚染土壌に対する浄化剤及び改良剤の配合順番及び配合含有率が、１番目に天然ゼオライト25〜40％、２番目に人工ゼオライト１〜15％、３番目に炭化炭15〜30％、４番目に活性炭１〜15％、５番目に炭化パルプスラッジ灰15〜30％、６番目に籾殻活性炭５〜20％、７番目に酸化チタン１〜10％、８番目に硫酸アルミニウム５〜25％、９番目に炭酸ナトリウム１〜10％、10番目にベントナイト15〜30％、11番目に消石灰５〜15％にて混合攪拌する。【選択図】図５
2005048147.tif 000002
【特許請求の範囲】
【請求項１】
汚染土壌に対する浄化剤及び改良剤の配合順番及び配合含有率が、１番目に天然ゼオライト２５〜４０％、２番目に人工ゼオライト１〜１５％、３番目に炭化炭１５〜３０％、４番目に活性炭１〜１５％、５番目に炭化パルプスラッジ灰１５〜３０％、６番目に籾殻活性炭５〜２０％、７番目に酸化チタン１〜１０％、８番目に硫酸アルミニウム５〜２５％、９番目に炭酸ナトリウム１〜１０％、１０番目にベントナイト１５〜３０％、１１番目に消石灰５〜１５％にて混合攪拌したことを特徴とする複合汚染土壌の浄化・改良剤。
【請求項２】
汚染土壌に対する改良浄化剤の配合順番及び配合含有率が、１番目に炭化パルプスラッジ灰２５〜４０％、２番目に天然ゼオライト１０〜３０％、３番目に人工ゼオライト５〜１５％、４番目に活性炭５〜１５％、５番目にシリカ１〜１０％、６番目に酸化チタン１〜１０％、７番目に硫酸アルミニウム５〜２５％、８番目に炭酸ナトリウム１〜１０％、９番目にベントナイト５〜２０％、１０番目に消石灰１〜１０％にて混合撹拌したことを特徴とする複合汚染土壌改良浄化剤。
【請求項３】
汚染土壌に対する安定浄化剤の配合順番及び配合含有率が、１番目にパルプスラッジ灰２５〜５０％、２番目に人工ゼオライト５〜１５％、３番目に活性炭５〜１５％、４番目にセメント５〜２５％、５番目にシリカ１〜１０％、６番目に硫酸カルシウム１〜１０％、７番目に酸化チタン１〜１０％、８番目に硫酸アルミニウム５〜２５％、９番目に炭酸ナトリウム１〜１０％、１０番目にベントナイト５〜２０％、１１番目に消石灰１〜１５％にて混合撹拌したことを特徴とする複合汚染土壌安定浄化剤。
【請求項４】
汚染土壌に対する浄化剤及び改良剤の配合順番及び配合含有率が、１番目に天然ゼオライト２５〜４０％、２番目に人工ゼオライト１〜１５％、３番目に炭化炭１５〜３０％、４番目に活性炭１〜１５％、５番目に炭化パルプスラッジ灰１５〜３０％、６番目に籾殻活性炭５〜２０％、７番目に酸化チタン１〜１０％、８番目に・硫酸アルミニウム５〜２５％、９番目に炭酸ナトリウム１〜１０％、１０番目にベントナイト１５〜３０％、１１番目に消石灰５〜１５％にて混合攪拌して土壌の浄化・改良剤を得、この浄化・改良剤を散布機械に貯留しておき、重金属類等で汚染されている水田・田畑等の農耕作地をトラクターや耕耘機等の農業機械で掘り起こし、汚染土壌１０ｍ3当たりの浄化・改良剤の添加量を２００Kg（＝２％）から５００Kg（＝５％）の割合で前記散布機械等によって散布した後、再度農業機械で撹拌することを特徴とする複合汚染土壌の浄化・改良工法。
【請求項５】
汚染土壌に対する改良浄化剤の配合順番及び配合含有率が、１番目に炭化パルプスラッジ灰２５〜４０％、２番目に天然ゼオライト１０〜３０％、３番目に人工ゼオライト５〜１５％、４番目に活性炭５〜１５％、５番目にシリカ１〜１０％、６番目に酸化チタン１〜１０％、７番目に硫酸アルミニウム５〜２５％、８番目に炭酸ナトリウム１〜１０％、９番目にベントナイト５〜２０％、１０番目に消石灰１〜１０％にて混合撹拌して得た土壌改良浄化剤を、１０ｍ3に対して２００Kg（＝２％）から５００Kgの割合で、予め掘り起こして山積した汚染土壌の上方から投入して混合撹拌し、撹拌済み土壌を元の掘削場所に埋め戻すことを特徴とする複合汚染土壌改良浄化工法。
【請求項６】
汚染土壌に対する安定浄化剤の配合順番及び配合含有率が、１番目にパルプスラッジ灰２５〜５０％、２番目に人工ゼオライト５〜１５％、３番目に活性炭５〜１５％、４番目にセメント５〜２５％、５番目にシリカ１〜１０％、６番目に硫酸カルシウム１〜１０％、７番目に酸化チタン１〜１０％、８番目に硫酸アルミニウム５〜２５％、９番目に炭酸ナトリウム１〜１０％、１０番目にベントナイト５〜２０％、１１番目に消石灰１〜１５％にて混合撹拌して土壌安定浄化剤を得、このこの土壌安定浄化剤を１０ｍ3に対して２００Kg（＝２％）から５００Kgの割合で、汚染土壌からなる軟弱地盤に投入し、バックホーなどの掘削機械で撹拌した後、ブルドーザーで敷き均し、ロードローラーで転圧しながら地盤を安定させることを特徴とする複合汚染土壌安定浄化工法。
【発明の詳細な説明】
【技術分野】
【０００１】
本発明は複合汚染土壌浄化・改良剤（略称：ＤＭＣ＝ダイヤ・メルト・クリア）及び複合汚染土壌改良浄化剤（略称：ＣＩＣ＝コンプレックスポリューション・インプロペメント・クリアプリペーション）並び複合汚染土壌安定浄化剤（略称：ＣＳＣ＝コンプレックスポリューション・スタビライザー・クリアプリペーション）とその浄化剤や改良剤を使って重金属類・ダイオキシン類・ＰＣＢ・ＶＯＣ類（ジクロロエタン、四塩化炭素、トリクロロエチレン、テトラクロロエチレン、ベンゼン、その他１０種類）・油類（原油、ガソリン、潤滑油、重油）の有害物質を含有している複合汚染土壌の浄化・改良工法及び土壌改良浄化工法並びに複合汚染土壌の安定浄化工法に関するものである。
【０００２】
そして、無機系の各種機能物質を調合して作り出したもので、各々の機能を最大限に高め、多機能性を発揮させ、有害物質を浄化させることができるパウダー浄化剤を汚染土壌に混ぜて攪拌混合するだけでカドミウム、六価クロム、水銀、ひ素、りん、鉛、銅、セレン、ほう素等の有害な重金属類・ダイオキシン類・ＰＣＢ・ＶＯＣ類（ジクロロエタン、四塩化炭素、トリクロロエチレン、テトラクロロエチレン、ベンゼン、その他１０種類）・油類（原油、ガソリン、潤滑油、重油）を浸透・吸着・分解して無害化することを目的とする。
【背景技術】
【０００３】
一般にカドミウム、鉛、六価クロム、ひ素、水銀等の有害重金属で汚染されている土壌を改良浄化するための土壌改良材及び土壌改良工法の発明は数多く提供されている
【特許文献１】特許第２５０８９０３号公報
【特許文献２】特許第３２１５０６５号公報
【特許文献３】特許第３２９１６４３号公報
【特許文献４】特開２００２−  １８４１３号公報
【特許文献５】特開２００２−  １８４２１号公報
【特許文献６】特開２００２−３５５６６５号公報
【特許文献７】特開２００２−  ５９１５０号公報
【特許文献８】特開平１０−      ８０２９号公報
【特許文献９】特開２００２−３３４１３５号公報
【発明の開示】
【発明が解決しようとする課題】
【０００４】
ところが、上記の公開された各発明は、六価クロム（特許第2508903号、特開2002−18413号）、砒素（特許第3215065号、特開2002−18421号）、水銀（特許第3291643号、特開2003−102464号）、カドミウム（特開2002−355665号）、セレン（特開2002-59150号）の単一の重金属を除去するものである。また、中には鉛、砒素、水銀、カドミウム、六価クロム（特開平10−8029号）、鉛、砒素、水銀、カドミウム、六価クロム、セレン（特開2002−334135号）等のように複数の重金属の除去を目的とするものもあるが、それでも重金属すべてに近いものを除去するものではない。また、これら有害重金属の除去に用いる改良処理材は水を加えて混練する方式が採られている。
【課題を解決するための手段】
【０００５】
そこで本発明は、従来の課題を解決し、且つ発明の目的を解決するために提供するものである。
【０００６】
本発明の第１は複合汚染土壌の浄化・改良剤において、汚染土壌に対する浄化剤及び改良剤の配合順番及び配合含有率が、１番目に天然ゼオライト２５〜４０％、２番目に人工ゼオライト１〜１５％、３番目に炭化炭１５〜３０％、４番目に活性炭１〜１５％、５番目に炭化パルプスラッジ灰１５〜３０％、６番目に籾殻活性炭５〜２０％、７番目に酸化チタン１〜１０％、８番目に・硫酸アルミニウム５〜２５％、９番目に炭酸ナトリウム１〜１０％、１０番目にベントナイト１５〜３０％、１１番目に消石灰５〜１５％にて混合攪拌したものである。
【０００７】
本発明の第２は複合汚染土壌改良浄化剤において、汚染土壌に対する改良浄化剤の配合順番及び配合含有率が、１番目に炭化パルプスラッジ灰２５〜４０％、２番目に天然ゼオライト１０〜３０％、３番目に人工ゼオライト５〜１５％、４番目に活性炭５〜１５％、５番目にシリカ１〜１０％、６番目に酸化チタン１〜１０％、７番目に硫酸アルミニウム５〜２５％、８番目に炭酸ナトリウム１〜１０％、９番目にベントナイト５〜２０％、１０番目に消石灰１〜１０％にて混合撹拌したものである。
【０００８】
本発明の第３は複合汚染土壌安定浄化剤において、汚染土壌に対する安定浄化剤の配合順番及び配合含有率が、１番目にパルプスラッジ灰２５〜５０％、２番目に人工ゼオライト５〜１５％、３番目に活性炭５〜１５％、４番目にセメント５〜２５％、５番目にシリカ１〜１０％、６番目に硫酸カルシウム１〜１０％、７番目に酸化チタン１〜１０％、８番目に硫酸アルミニウム５〜２５％、９番目に炭酸ナトリウム１〜１０％、１０番目にベントナイト５〜２０％、１１番目に消石灰１〜１５％にて混合撹拌したものである。
【０００９】
本発明の第４は複合汚染土壌の浄化及び改良工法において、汚染土壌に対する浄化剤及び改良剤の配合順番及び配合含有率が、１番目に天然ゼオライト２５〜４０％、２番目に人工ゼオライト１〜１５％、３番目に炭化炭１５〜３０％、４番目に活性炭１〜１５％、５番目に炭化パルプスラッジ灰１５〜３０％、６番目に籾殻活性炭５〜２０％、７番目に酸化チタン１〜１０％、８番目に・硫酸アルミニウム５〜２５％、９番目に炭酸ナトリウム１〜１０％、１０番目にベントナイト１５〜３０％、１１番目に消石灰５〜１５％にて混合攪拌して土壌の浄化・改良剤を得、この浄化・改良剤を散布機械に貯留しておき、重金属類等で汚染されている水田・田畑等の農耕作地をトラクターや耕耘機等の農業機械で掘り起こし、汚染土壌１０ｍ3当たりの浄化・改良剤の添加量を２００Kg（＝２％）から５００Kg（＝５％）の割合で前記散布機械等によって散布した後、再度農業機械で撹拌するものである。
【００１０】
本発明の第５は複合汚染土壌の改良浄化工法において、汚染土壌に対する改良浄化剤の配合順番及び配合含有率が、１番目に炭化パルプスラッジ灰２５〜４０％、２番目に天然ゼオライト１０〜３０％、３番目に人工ゼオライト５〜１５％、４番目に活性炭５〜１５％、５番目にシリカ１〜１０％、６番目に酸化チタン１〜１０％、７番目に硫酸アルミニウム５〜２５％、８番目に炭酸ナトリウム１〜１０％、９番目にベントナイト５〜２０％、１０番目に消石灰１〜１０％にて混合撹拌して得た土壌改良浄化剤を、１０ｍ3に対して２００Kg（＝２％）から５００Kgの割合で、予め掘り起こして山積した汚染土壌の上方から投入して混合撹拌し、撹拌済み土壌を元の掘削場所に埋め戻すようにしたものである。
【００１１】
本発明の第６は複合汚染土壌の安定浄化工法において、汚染土壌に対する安定浄化剤の配合順番及び配合含有率が、１番目にパルプスラッジ灰２５〜５０％、２番目に人工ゼオライト５〜１５％、３番目に活性炭５〜１５％、４番目にセメント５〜２５％、５番目にシリカ１〜１０％、６番目に硫酸カルシウム１〜１０％、７番目に酸化チタン１〜１０％、８番目に硫酸アルミニウム５〜２５％、９番目に炭酸ナトリウム１〜１０％、１０番目にベントナイト５〜２０％、１１番目に消石灰１〜１５％にて混合撹拌して土壌安定浄化剤を得、このこの土壌安定浄化剤を１０ｍ3に対して２００Kg（＝２％）から５００Kgの割合で、汚染土壌からなる軟弱地盤に投入し、バックホウ等の掘削機械で撹拌した後、ブルドーザーで敷き均し、ロードローラーで転圧しながら地盤を安定させるようにしたものである。上記第１の発明から第６の発明に配合の順番は重要な要素であり、この順番を違えると不具合の反応が発生して所期の効果が得られない。
【発明の効果】
【００１２】
本発明は上記の構成であるから、次のような効果がある。すなわち、複合汚染土壌浄化・改良剤にあっては、原料の全てを安全性の高い無機系機能資材を選んで配合してある。また、資材の機能「吸着・イオン交換・触媒・光触媒酸化還元」を最大限に高め、多機能性を十分に発揮できる配合になっている。そして、酸化チタンの光触媒反応により、電子（−）還元力と正孔（＋）酸化力が生成し、水や酸素等と反応して、ＯＨラジカルやスーパーオキサイドアニオン等の活性酸素を生成する。さらに、ゼオライト、活性炭による「吸着・イオン交換・触媒機能」により酸化還元し、一部は融合し、炭酸ガス・二酸化炭素・水・塩素に分解させ、無害化することができる。
【００１３】
次に、複合汚染土壌改良浄化剤にあっては、これを使用することによって、有害対象物質である「重金属類・ダイオキシン類・ＰＣＢ・ＶＯＣ類・油類」を吸着し、イオン交換、触媒・光触媒（酸化還元）反応を起こし、分解させ、無害化することができる。
そして、複合汚染土壌改良浄化剤及び複合汚染土壌安定浄化剤にあっては、無機系資材を主原料として、ｐＨ値は中性を示し、土壌環境に優しい。且つ、使用目的の用途範囲が広く、効果も早く、簡単な作業手順で使用ができる。
【００１４】
次に、複合汚染土壌改良浄化剤にあっては、これを使用することによって有害対象物質である「重金属類・ダイオキシン類・ＰＣＢ・ＶＯＣ類・油類」を吸着し、イオン交換、触媒、光触媒（酸化還元）反応を起こし、分解させ、無害化することができる。
また、複合汚染土壌改良浄化剤及び複合汚染土壌安定浄化剤は、気相吸着、表面液相吸着、細孔内部表面の化学的吸着、細孔内部の物理的吸着をすると同時に、人工的に作られた分子融合を破壊（分解）放出し、自然界に普通に存在する分子に変える機能を有している。
そして、複合汚染土壌改良浄化剤及び複合汚染土壌安定浄化剤にあっては、無機系資材を主原料とし、ｐＨ値は中性を示し、土壌環境に優しい。
【００１５】
作業の効率に関しては、汚染土壌の掘削・「投入・散布」・撹拌・「埋め戻し・敷均し」・転圧だけの施工で、特別の工法は用いないで行える。
また、適用範囲が広いので、処理対象土壌の変化による大幅な添加量の変化もなく、工程管理上有利である。
本発明によれば、施工後２〜３週間で５０％以上の浄化効果が現れ、３ヶ月後には、最大で８０％以上の浄化が期待できる。
パックテストの結果、１０〜２０秒後には、有害物質は検出されなかった。
【００１６】
本発明によれば、育苗資材、土壌改良材、病害防止剤、収量増量材、連作障害防止材、堆肥熟成促進材、冷害及び干魃防止材、土壌解毒材、有害ガス吸着材、水質浄化材として有効利用ができる。
【発明を実施するための最良の形態】
【００１７】
上記の構成において、本発明に係る複合汚染土壌改良浄化剤及び複合汚染土壌安定浄化剤を有害物質に混ぜると特殊浸透膜が形成される。
また、複合汚染土壌改良浄化剤及び複合汚染土壌安定浄化剤はイオン物質を還元して化学吸着すると共に、これを炭素中に大量に保持する性能を有している。
【００１８】
重金属類（カドミウム、全シアン、有機燐、鉛、六価クロム・ひ素、総水銀、アルキル水銀・ダイオキシン類・ＰＣＢ・ＶＯＣ類「ジクロロメタン、四塩化炭素、トリクロロエチレン、テトラクロロエチレン、ベンゼン、その他１０種類」・油類「原油、ガソリン、潤滑油、重油」）の分解は複合汚染土壌改良浄化剤及び複合汚染土壌安定浄化剤により、細部まで浸透可能にし、分子間結合を緩やかにし、吸着、一部は融合し分解して、自然界の元素に戻して浄化する。
ダイベンゾフラン、ポリ塩化ジベンゾ、ダイオキシン、ポリ塩化ジベンゾフラン等はＣＩＣ及びＣＳＣを通過すると、Ｈ・Ｏ・Ｃ・Ｃ１等の自然界の元素に戻り、カーボンに融合する。
さらに、複合汚染土壌改良浄化剤及び複合汚染土壌安定浄化剤により、結合が緩やかになり、より簡単に速やかに自然界の元素に戻る。
ＣＩは単体では存在しないことから、金属や有害化合物と結合し、一部は次亜塩素酸になる。
【実施例１】
【００１９】
りんのパックテスト
図１において、請求項２の配合率の複合汚染土壌改良浄化剤（ＣＩＣ−２）でりんのパックテストを行ったところ、濃紫系の検体原液がほぼ無色透明の液体に変化した。なお、図１の（ＣＩＣ−１）の表示は複合汚染土壌改良浄化剤の他の配合率でテストしたものであり、以下図１４まで同じである。
【００２０】
六価クロムのパックテスト
図２において、請求項２の配合率の複合汚染土壌改良浄化剤（ＣＩＣ−２）で六価クロムのパックテストを行ったところ、紫色系の検体原液がはぼ無色透明の液体に変化した。
【００２１】
ひ素のパックテスト
図３において、請求項２の配合率の複合汚染土壌改良浄化剤（ＣＩＣ−２）でひ素のパックテストを行ったところ、紫色系の検体原液がほぼ無色透明の液体に変化した。
【００２２】
銅のパックテスト
図４において、請求項２の配合率の複合汚染土壌改良浄化剤（ＣＩＣ−２）で銅のパックテストを行ったところ、黄色系の検体原液がほぼ無色透明の液体に変化した。
【実施例２】
【００２３】
本発明に係る土壌改良剤を用いて「複合汚染土壌浄化・改良」試験を行ったところ、次の結果が得られた。
まず、田圃（水田）から土（土壌）を採集する。発砲スチール箱に「採集土箱」、「カドミウム試薬入り検体箱（カドミウム汚染土壌）」、「カドミウム汚染土壌の重量に対して複合汚染土壌浄化・改良剤を３％添加して撹拌して改良土箱」を作る。そして、「採集土壌箱」、「カドミウム汚染土壌箱」、「複合汚染土壌浄化・改良剤を添加して土壌箱」に水を入れて撹拌する。最後に苗を植える。
【００２４】
「カドミウムが含有している汚染土壌に植えた稲苗（図５Ａ）と複合汚染土壌浄化・改良剤を添加した土壌に植えた稲苗（図５Ａ−１）」の成育比較は次の通りである。
「平成15年05月22日」  稲苗植え実行（図５Ａ「右側の箱」以下、図１４Ｊまで同じ）・（図５Ａ−１「左側の箱」以下、図１４Ｊ−１まで同じ）、両方の稲苗の高さ12ｃｍ
「平成15年06月03日」（図５Ａ）12ｃｍ  （図５Ａ−１）14ｃｍ
「平成15年06月11日」（図５Ａ）13ｃｍ  （図５Ａ−１）18ｃｍ
「平成15年06月18日」（図５Ａ）17ｃｍ  （図５Ａ−１）24ｃｍ
「平成15年06月25日」（図５Ａ）22ｃｍ  （図５Ａ−１）32ｃｍ
「平成15年07月07日」（図５Ａ）28ｃｍ  （図５Ａ−１）43ｃｍ
【００２５】
「りんが含有している汚染土壌に植えた稲苗（図６Ｂ）と複合汚染土壌浄化・改良剤を添加した土壌に植えた稲苗（図６Ｂ−１）」の成育比較は次の通りである。
「平成15年05月22日」  稲苗植え実行（図６Ａ）・（図６Ａ−１）、稲苗の高さ≒12ｃｍ。
「平成15年06月03日」（図６Ｂ）12ｃｍ  （図６Ｂ−１）14ｃｍ
「平成15年06月11日」（図６Ｂ）13ｃｍ  （図６Ｂ−１）17ｃｍ
「平成15年06月18日」（図６Ｂ）17ｃｍ  （図６Ｂ−１）23ｃｍ
「平成15年06月25日」（図６Ｂ）21ｃｍ  （図６Ｂ−１）30ｃｍ
「平成15年07月07日」（図６Ｂ）27ｃｍ  （図６Ｂ−１）40ｃｍ
【００２６】
「鉛が含有している汚染土壌に植えた稲苗（図７Ｃ）と複合汚染土壌浄化・改良剤を添加した土壌に植えた稲苗（図７Ｃ−１）」の成育比較は次の通りである。
「平成15年05月22日」  稲苗植え実行（図７Ｃ）・（図７Ｃ−１）、稲苗の高さ≒12ｃｍ。
「平成15年06月03日」（図７Ｃ）12ｃｍ  （図７Ｃ−１）14ｃｍ
「平成15年06月11日」（図７Ｃ）13ｃｍ  （図７Ｃ−１）17ｃｍ
「平成15年06月18日」（図７Ｃ）16ｃｍ  （図７Ｃ−１）22ｃｍ
「平成15年06月25日」（図７Ｃ）20ｃｍ  （図７Ｃ−１）30ｃｍ
「平成15年07月07日」（図７Ｃ）25ｃｍ  （図７Ｃ−１）39ｃｍ
【００２７】
「六価クロムが含有している汚染土壌に植えた稲苗（図８Ｄ）と複合汚染土壌浄化・改良剤を添加した土壌に植えた稲苗（図８Ｄ−１）」の成育比較は次の通りである。
「平成15年05月22日」  稲苗植え実行（図８Ｄ）・（図８Ｄ−１）、稲苗の高さ≒12ｃｍ。
「平成15年06月03日」（図８Ｄ）12ｃｍ  （図８Ｄ−１）14ｃｍ
「平成15年06月11日」（図８Ｄ）13ｃｍ  （図８Ｄ−１）18ｃｍ
「平成15年06月18日」（図８Ｄ）16ｃｍ  （図８Ｄ−１）23ｃｍ
「平成15年06月25日」（図８Ｄ）22ｃｍ  （図８Ｄ−１）30ｃｍ
「平成15年07月07日」（図８Ｄ）28ｃｍ  （図８Ｄ−１）39ｃｍ
【００２８】
「ひ素が含有している汚染土壌に植えた稲苗（図９Ｅ）と複合汚染土壌浄化・改良剤を添加した土壌に植えた稲苗（図９Ｅ−１）」の成育比較は次の通りである。
「平成15年05月22日」  稲苗植え実行（図９Ｅ）・（図９Ｅ−１）、稲苗の高さ≒12ｃｍ。
「平成15年06月03日」（図９Ｅ）12ｃｍ  （図９Ｅ−１）14ｃｍ
「平成15年06月11日」（図９Ｅ）13ｃｍ  （図９Ｅ−１）16ｃｍ
「平成15年06月18日」（図９Ｅ）16ｃｍ  （図９Ｅ−１）21ｃｍ
「平成15年06月25日」（図９Ｅ）21ｃｍ  （図９Ｅ−１）28ｃｍ
「平成15年07月07日」（図９Ｅ）27ｃｍ  （図９Ｅ−１）36ｃｍ
【００２９】
「水銀が含有している汚染土壌に植えた稲苗（図10Ａ）と複合汚染土壌浄化・改良剤を添加した土壌に植えた稲苗（図10Ａ−１）」の成育比較は次の通りである。
「平成15年05月22日」  稲苗植え実行（図10Ｆ）・（図10Ｆ−１）、稲苗の高さ≒12ｃｍ。
「平成15年06月03日」（図10Ｆ）12ｃｍ  （図10Ｆ−１）14ｃｍ
「平成15年06月11日」（図10Ｆ）13ｃｍ  （図10Ｆ−１）17ｃｍ
「平成15年06月18日」（図10Ｆ）16ｃｍ  （図10Ｆ−１）22ｃｍ
「平成15年06月25日」（図10Ｆ）20ｃｍ  （図10Ｆ−１）29ｃｍ
「平成15年07月07日」（図10Ｆ）26ｃｍ  （図10Ｆ−１）37ｃｍ
【００３０】
「銅が含有している汚染土壌に植えた稲苗（図11Ｇ）と複合汚染土壌浄化・改良剤を添加した土壌に植えた稲苗（図11Ｇ−１）」の成育比較は次の通りである。
「平成15年05月22日」  稲苗植え実行（図11Ｇ）・（図11Ｇ−１）、稲苗の高さ≒12ｃｍ。
「平成15年06月03日」（図11Ｇ）12ｃｍ  （図11Ｇ−１）14ｃｍ
「平成15年06月11日」（図11Ｇ）13ｃｍ  （図11Ｇ−１）17ｃｍ
「平成15年06月18日」（図11Ｇ）16ｃｍ  （図11Ｇ−１）23ｃｍ
「平成15年06月25日」（図11Ｇ）20ｃｍ  （図11Ｇ−１）30ｃｍ
「平成15年07月07日」（図11Ｇ）26ｃｍ  （図11Ｇ−１）38ｃｍ
【００３１】
「セレンが含有している汚染土壌に植えた稲苗（図12Ｈ）と複合汚染土壌浄化・改良剤を添加した土壌に植えた稲苗（図12Ｈ−１）」の成育比較は次の通りである。
「平成15年05月22日」  稲苗植え実行（図12Ｈ）・（図12Ｈ−１）、稲苗の高さ≒12ｃｍ。
「平成15年06月03日」（図12Ｈ）12ｃｍ  （図12Ｈ−１）13ｃｍ
「平成15年06月11日」（図12Ｈ）13ｃｍ  （図12Ｈ−１）16ｃｍ
「平成15年06月18日」（図12Ｈ）15ｃｍ  （図12Ｈ−１）20ｃｍ
「平成15年06月25日」（図12Ｈ）19ｃｍ  （図12Ｈ−１）26ｃｍ
「平成15年07月07日」（図12Ｈ）25ｃｍ  （図12Ｈ−１）36ｃｍ
【００３２】
「ほう素が含有している汚染土壌に植えた稲苗（図13Ｉ）と複合汚染土壌浄化・改良剤を添加した土壌に植えた稲苗（図13Ｉ−１）」の成育比較は次の通りである。
「平成15年05月22日」  稲苗植え実行（図13Ｉ）・（図13Ｉ−１）、稲苗の高さ≒12ｃｍ。
「平成15年06月03日」（図13Ｉ）12ｃｍ  （図13Ｉ−１）13ｃｍ
「平成15年06月11日」（図13Ｉ）13ｃｍ  （図13Ｉ−１）16ｃｍ
「平成15年06月18日」（図13Ｉ）15ｃｍ  （図13Ｉ−１）20ｃｍ
「平成15年06月25日」（図13Ｉ）19ｃｍ  （図13Ｉ−１）27ｃｍ
「平成15年07月07日」（図13Ｉ）25ｃｍ  （図13Ｉ−１）36ｃｍ
【００３３】
「普通の土壌に植えた稲苗（図14Ｊ）と複合汚染土壌浄化・改良剤を添加した土壌に植えた稲苗（図14Ｊ−１）」の成育比較は次の通りである。
「平成15年05月22日」  稲苗植え実行（図14Ｊ）・（図14Ｊ−１）、稲苗の高さ≒12ｃｍ。
「平成15年06月03日」（図14Ｊ）12ｃｍ  （図14Ｊ−１）14ｃｍ
「平成15年06月11日」（図14Ｊ）13ｃｍ  （図14Ｊ−１）18ｃｍ
「平成15年06月18日」（図14Ｊ）16ｃｍ  （図14Ｊ−１）23ｃｍ
「平成15年06月25日」（図14Ｊ）20ｃｍ  （図14Ｊ−１）30ｃｍ
「平成15年07月07日」（図14Ｊ）24ｃｍ  （図14Ｊ−１）38ｃｍ
【００３４】
上記の「図１Ａ、図１Ａ―１」から「図１４Ｊ、図１４Ｊ−１」を観察すると、汚染土壌箱の稲苗「図１Ａ」から「図９Ｉ」及び「図１４Ｊ」に比べて複合汚染土壌浄化・改良剤を添加した土壌の稲苗「図５Ａ−１」から「図１５Ｊ−１」の方が背丈・茎が約２倍くらい成長が早く、且つ葉の色も薄い黄色がかかっている汚染土壌に比べて緑色が深く元気がある。また、図１５に示すように、カドミウムが含有している汚染土壌に複合汚染土壌浄化・改良剤を添加した土壌は、水面において、泡ができて有害物質を分解・放出・浄化する作用が発生している。
【実施例３】
【００３５】
「心土破砕」：  水田、畑等の農耕作地の表層土壌から３０ｃｍ下の１ｍの層（深層）の固く締まった土壌を大型トラクター等に装備されている鋤（すき）等で掘り起こす。深層土壌に日光に当てる・空気等の通気性を良くする・水や薬剤・改良材の浸透性・微生物の活性化・土壌自然浄化等の効果を出すために施工する。
【００３６】
「反転耕」：  表層土壌から３５ｃｍ下までの土壌を大型トラクター等に装備されている鋤・ロータリー破砕機などで掘返しながら土壌を荒く破砕する。表層土壌の下、約３０ｃｍに不透水膚が存在する。その固く締まっている層が植物の根の張り具合に悪い影響を与える。通気性・浸透性・微生物の活性化の妨げ、農薬、肥料等の汚染物層ができる。その不透水層を破砕しながら表層と下層をひっくり返す（土壌の天地返し）ことにより、土壌改良、土壌浄化を促進させる。
【００３７】
「整地・均平・鎮圧」：  心土破砕・反転耕によって、荒く掘り返された土壌を大型トラクターに装備されているロータリー式の撹拌機により土を細粒子状に破砕しながら、整地、土の粒子を均平に均しながら、譲圧（風で土が舞い上がる状態を抑えるために適度の転圧をかける）する。
【００３８】
上記の「心土破砕」、「反転耕」、「整地・均平・鎮圧」の施工後、大型トラクター等に装備されている散布機により、複合汚染土壌浄化・改良剤、複合汚染土壌改良浄化剤を土壌に散布する。畑等の場合は、撹拌後、太陽光・降雨等の浸透水により、自然浄化する。
【００３９】
「代かき」：  田植え前に水田に水を張る。大型トラクター等に装備されているロータリ式攪拌機によって、複合汚染土壌浄化・改良剤・土壌と複合汚染土壌改良浄化剤が散布されている混合している土壌を撹拌する。田植え前の代かきにより、短期間で汚染土壌改良浄化が促進される。
【００４０】
「複合汚染土壌浄化・改良剤の作業施工例」  複合汚染土壌浄化・改良剤は、水田、畑等の農耕作地の重金属類による汚染土壌浄化と土壌改良を併せ持たせるものである。
水田についての施工は、大型トラクター等の機械で汚染土壌浄化と土壌改良土壌を掘り起こした後、散布機械複合汚染土壌浄化・改良剤を散布する。次に、土壌と複合汚染土壌浄化・改良剤をトラクターでよく撹拌する。田植え前の代かきにより短期間で浄化が促進される。  畑についての施工は、耕耘機やトラクター等で土壌を掘り起こし、散布機械等複合汚染土壌浄化・改良剤を散布する。土壌と、散布された複合汚染土壌浄化・改良剤は耕耘機又はトラクター等でよく撹拌する。施工後、太陽光・降雨等の浸透水によって、自然状態で浄化が促進される。
【００４１】
「複合汚染土壌改良浄化剤の作業施工例」  複合汚染土壌改良浄化剤を適用する工場跡地、宅地、造成地の施工については、バックホウ（ユンボ）等の掘削機械で汚染土壌を掘り起こす。
掘り起こした汚染土壌を１０ｍ3程度で山積みにする。山積みされた土壌に複合汚染土壌改良浄化剤を５００Kg（５％）をバックホウで吊り上げて投入し、土壌と複合汚染土壌改良浄化剤よく撹拌する。撹拌された土壌を埋め戻す。
埋め戻した土壌をブルドーザー、タイヤローラー等で転圧しながら締め固める。
施工後、太陽光・降雨等の浸透水によって、自然状態で浄化される。
水田についての施工は、トラクター等の機械で汚染土壌を掘り起こし、散布機械で散布する。次に、土壌と複合汚染土壌浄化・改良剤をトラクターでよく撹拌する。田植え前の代かきにより短期間で浄化が促進される。
畑についての施工は、耕耘機やトラクター等で土壌を掘り起こし、散布機械等複合汚染土壌改良浄化剤を散布する。土壌と、散布された複合汚染土壌改良浄化剤は耕耘機又はトラクター等でよく撹拌する。施工後、太陽光・降雨等の浸透水によって、自然状態で浄化が促進される。
【００４２】
「複合汚染土壌安定浄化剤の作業施工例」  複合汚染土壌安定浄化剤の用途は複合汚染土壌改良浄化剤とは異なる。すなわち、工場跡地、宅地、造成地等において専ら軟弱汚染土壌地盤に対応する目的で施工される。水田や畑などの耕作地には適しない。
複合汚染土壌安定浄化剤は、汚染土壌の軟弱地盤の安定（流動防止等）と地盤の強度を持たせるために、セメントのような固化剤を配合してある。この軟弱な工場跡地、宅地、造成地に於ける施工順序は前記複合汚染土壌改良浄化剤の施工と同じである。
【産業上の利用可能性】
【００４３】
本発明は、田畑等の食物収穫地の土壌浄化改良と、宅地、工場跡地等の建設地の地盤浄化改良に適し、土壌改良効率の大幅な向上及び用途の拡大が図れる。
【図面の簡単な説明】
【００４４】
【図１】りんのパックテストを示す図面代用写真である。
【図２】六価クロムのパックテストを示す図面代用写真である。
【図３】ひ素のパックテストを示す図面代用写真である。
【図４】銅のパックテストを示す図面代用写真である。
【図５】カドミウム汚染土壌に植えた苗と複合汚染土壌浄化・改良剤添加の土壌に植えた苗の比較を示す図面代用写真である。
【図６】りん汚染土壌に植えた苗と複合汚染土壌浄化・改良剤添加の土壌に植えた苗の比較を示す図面代用写真である。
【図７】鉛汚染土壌に植えた苗と複合汚染土壌浄化・改良剤添加の土壌に植えた苗の比較を示す図面代用写真である。
【図８】六価クロム汚染土壌に植えた苗と複合汚染土壌浄化・改良剤添加の土壌に植えた苗の比較を示す図面代用写真である。
【図９】ひ素汚染土壌に植えた苗と複合汚染土壌浄化・改良剤添加の土壌に植えた苗の比較を示す図面代用写真である。
【図１０】水銀汚染土壌に植えた苗と複合汚染土壌浄化・改良剤添加の土壌に植えた苗の比較を示す図面代用写真である。
【図１１】銅汚染土壌に植えた苗と複合汚染土壌浄化・改良剤添加の土壌に植えた苗の比較を示す図面代用写真である。
【図１２】セレン汚染土壌に植えた苗と複合汚染土壌浄化・改良剤添加の土壌に植えた苗の比較を示す図面代用写真である。
【図１３】ほう素汚染土壌に植えた苗と複合汚染土壌浄化・改良剤添加の土壌に植えた苗の比較を示す図面代用写真である。
【図１４】普通土壌に植えた苗と複合汚染土壌浄化・改良剤添加の土壌に植えた苗の比較を示す図面代用写真である。
【図１５】カドミウム汚染土壌に複合汚染土壌浄化・改良剤を添加したことに分解・放出・浄化作用によって対象物質の無害化状況を示す図面代用写真である。
【図１】
2005048147.tif 000003
【図２】
2005048147.tif 000004
【図３】
2005048147.tif 000005
【図４】
2005048147.tif 000006
【図５】
2005048147.tif 000007
【図６】
2005048147.tif 000008
【図７】
2005048147.tif 000009
【図８】
2005048147.tif 000010
【図９】
2005048147.tif 000011
【図１０】
2005048147.tif 000012
【図１１】
2005048147.tif 000013
【図１２】
2005048147.tif 000014
【図１３】
2005048147.tif 000015
【図１４】
2005048147.tif 000016
【図１５】
2005048147.tif 000017